(57)【要約】【課題】  包装袋から引き裂き片を切り取らないで、かつ、引き裂き片が内容物の排出に障害にならないよう、引き裂き片を挿入用スリットに挿入し易いフィルム製容器を提供する。【解決手段】  少なくとも最内層にシーラント層を有する積層フィルムからなり、左右の側辺に折り込み部を有し、折り込み部の上下両端を融着したフィルム製容器（１）において、一方の折り込み部を広幅融着折り込み部（３１）とし、前記広幅融着折り込み部上端と折り込みのない表裏フィルム部（４）上端に広幅融着部（５）を設け、他方の折り込み部を非広幅折り込み部（２１）とし、その上端に非広幅融着部を設け、前記広幅融着部に、上下方向に並行した切り込みを２箇所以上設けたことを特徴とするフィルム製容器。【選択図】図１
2017001738.tif 000002
【特許請求の範囲】
【請求項１】
少なくとも最内層にシーラント層を有する積層フィルムからなり、左右の側辺に折り込み部を有し、折り込み部の上下両端を融着したフィルム製容器において、
一方の折り込み部を広幅融着折り込み部とし、前記広幅融着折り込み部上端と折り込みのない表裏フィルム部上端に広幅融着部を設け、
他方の折り込み部を非広幅折り込み部とし、その上端に非広幅融着部を設け、
前記広幅融着部に、上下方向に並行した切り込みを２箇所以上設けたことを特徴とするフィルム製容器。
【請求項２】
開口部は、非広幅融着折り込み部の側辺端部から非広幅融着部側の前記切り込みに掛けて、非広幅融着折り込み部の上辺下端より下側で、かつ、広幅融着部下端よりも上側の位置に、水平に設けられ、
側辺に対して垂直に伸びる易開封手段、あるいは前記易開封手段とその開始位置に設けた切り欠きとを設けたことを特徴とする請求項１に記載のフィルム製容器。
【請求項３】
易開封手段がレーザーによるハーフカットからなることを特徴とする請求項２に記載のフィルム製容器。
【請求項４】
広幅融着部の折り込みの無い表裏フィルム部の内容物に接する内接辺が、広幅融着折り込み部側の側辺に対し、３０度以上、９０度未満に傾斜していることを特徴とする請求項１〜３のいずれかに記載のフィルム製容器。
【請求項５】
開口によって切り離れた開口部の非広幅折り込み部上端の融着片が１８０度折り曲げ可能としたことを特徴とする請求項１〜４のいずれかに記載のフィルム製容器。
【請求項６】
広幅融着部に設けた２箇所以上の切り込みの内、最も非広幅融着折り込み部側の切り込みの下端が、易開封手段によって誘導される開口位置よりも収納部側に位置することを特徴とする請求項１〜５のいずれかに記載のフィルム製容器。
【請求項７】
広幅融着部に設けた２箇所以上の切り込みの内、最も非広幅融着折り込み部側の切り込み上端が、非広幅融着折り込み部側に曲がって切り込まれていることを特徴とする請求項１〜６のいずれかに記載のフィルム製容器。
【請求項８】
広幅融着部に設けた２箇所以上の切り込みの内、広幅融着折り込み部側の切り込みの上端、下端の内いずれか、または上端及び下端が、非広幅融着折り込み部に対し反対側に曲がって切り込まれていることを特徴とする請求項１〜７のいずれかに記載のフィルム製容器。
【請求項９】
広幅融着部に設けた２箇所以上の切り込みの内、広幅融着折り込み部側の切り込みと、そこから広幅融着折り込み部側が、部分的に折り込み合わせ面が融着していない端留め空間を有することを特徴とする請求項１〜８のいずれかに記載のフィルム製容器。
【請求項１０】
２箇所以上設けた上下方向の切り込み端部は、切り込みが伸びないように、引き裂き終端処理を行うことを特徴とする請求項１〜９のいずれかに記載のフィルム製容器。
【請求項１１】
開口部の水平開口位置と、広幅融着部の内容物に接する内接辺と、の交点は、非広幅折り込み部側にない位置としたことを特徴とする請求項１〜１０のいずれかに記載のフィルム製容器。
【発明の詳細な説明】
【技術分野】
【０００１】
本発明は、積層フィルムからなる包装袋容器で、開封後、簡易的に開封片を固定して、内容物の注出を容易にするフィルム製容器に関するものである。
特には、シャンプー、リンス、ボディソープ、液体洗剤、柔軟剤、浴用剤に代表されるトイレタリー製品や、食用油、インスタントコーヒーなどの食品などの液体や、粉体、粒体などを収納する容器の詰め替え用容器に関する。
【背景技術】
【０００２】
本発明は、特には、シャンプー、リンス、ボディソープ、液体洗剤、柔軟剤、浴用剤に代表されるトイレタリー製品や、食用油、インスタントコーヒーなどの食品などの液体や、粉体、粒体などを収納する容器の詰め替え用容器に関する。
従来から包装袋はあるが、通常の包装袋は開封後、再封することが出来ない。
【０００３】
これを解決するために、色々な改良が行われている。例えば包装袋に注出路を設けて、注出路の先端にスクリューキャップ付きスパウトを設け、再封出来るようにしたものがある。また、開口部の近傍にチャックを設けておき、チャックにより再封する包装袋もあった。
【０００４】
これらは、表裏のフィルム以外にキャップとスパウトや、チャックテープなどの部材が必要で、これらを接着するための加工工程も必要となり、コストがかかるので、ある程度内容物の価格が高いものでないと使用が難しいという問題があった。
【０００５】
以上の問題に対し、特許文献１では、図２−２で示す包装袋、前面フィルム１１と後面フィルム１２と左右ガゼット形成フィルム１３，１４からなる４角柱体の前記ガゼット形成フィルム１３，１４を内側に折り込んで最頂部を水平にヒートシールしてトップシール部１０を形成した角底のガゼット袋であって、前記トップシール部１０に、引き裂き停止手段及び引き裂き片除去手段として、該トップシール部の略中央に、該トップシール部の長手方向と略直交し、そのヒートシール幅を越えない範囲で切り込み５６が設けられ、更に、引き裂き開封手段６１として、該トップシール部１０の開封側の下辺に沿ってその側端と前記切り込み５６との間に非ヒートシール領域１５が設けられると共に、該側端から該非ヒートシール領域１５を横切って前記切り込み５６に至る位置に易引き裂き手段６１が設けられ、該トップシール部の開封側の側端から該易引き裂き手段６１により該トップシール部１０を長手方向に引き裂くことにより、該トップシール部１０の片側半分が開封され、且つ、開封側の前記ガゼット形成フィルム１３が外側に引き出し可能となり、該ガゼット形成フィルムの引き出しにより注出口が形成されるようにしたことを特徴とする半開口ガゼット包装袋を提案している。
【０００６】
しかしながら、この包装袋では、差し込みやすさを得る為、シール形状がパウチの直立方向に対して、垂直または水平にならざるを得なかった。
この構造は、内容物の大きさなどが変わると、途端に排出しにくくなる問題があり、そのような場合、適した開口部を得る為に、シール形状を変更する必要がある。しかし、シール形状を変更するのは、生産ラインの機械調整などに手間が掛かり、切り替え作業負荷は非常に大きい問題がある。この為、生産性が著しく落ちる問題がある。
また、引き裂いたトップシール部の引き裂き片には内容物が付着しているので、衣服に汚れが付き易い。しかも、包装袋から引き裂き片が切り取られているので、包装袋とは別に廃棄しなければならず、廃棄も面倒になるなどの問題があった。
【０００７】
また、特許文献２では、一側辺のシール部に形成された開封ノッチの部分から袋の一部を引き裂いて開封する形式の包装袋において、引き裂き線の至るシール部に当該引き裂き線と交わる方向のカット止め用スリットを設け、かつ、引き裂かれるカット部分の先端部が差込み可能な挿入用スリットをシール部に設けたことを特徴とする包装袋を提案している。
【０００８】
しかしながら、この包装袋では、カット止め用スリットが当該引き裂き線と交わる方向に設け、かつ、差込み可能な挿入用スリットをシール部に設けているだけなので、引き裂かれたカット部分の向きを挿入用スリットに曲げ留めにくく、かつ、挿入用スリットから引き裂き片が簡単に抜け易いなどの問題があった。
【先行技術文献】
【特許文献】
【０００９】
【特許文献１】特許第４２２００５２号公報
【特許文献２】特開平７−６９３７０号公報
【発明の概要】
【発明が解決しようとする課題】
【００１０】
そこで、本発明は包装袋から引き裂き片を切り取らないで、かつ、引き裂き片が内容物の排出に障害にならないよう、引き裂き片を挿入用スリットに挿入し易いフィルム製容器を提供することが、本発明の課題である。
【課題を解決するための手段】
【００１１】
本発明は係る課題に鑑みなされたものであり、請求項１の発明は、少なくとも最内層にシーラント層を有する積層フィルムからなり、左右の側辺に折り込み部を有し、折り込み部の上下両端を融着したフィルム製容器において、
一方の折り込み部を広幅融着折り込み部とし、前記広幅融着折り込み部上端と折り込みのない表裏フィルム部上端に広幅融着部を設け、
他方の折り込み部を非広幅折り込み部とし、その上端に非広幅融着部を設け、
前記広幅融着部に、上下方向に並行した切り込みを２箇所以上設けたことを特徴とするフィルム製容器である。
【００１２】
本発明のフィルム製容器は、以上のような最内層のシーラント層を融着して成形されるフィルム製容器であって、容器の左右に折り込み部を設けてあり、折り込み部は上下両端に折り込み合わせ面も融着した融着折り込み部を有している。
さらに、ひとつの折り込み部上端と折り込みのない表裏フィルム部上端に広幅融着部を設けている。
開口工程として、非広幅融着折り込み部の上端を切り裂いて開口し、その切り裂いた上端部は、切り裂いた開口側の切り込み部近傍で折り曲げられ、並行して設けられている他の切り込みに差し込んで、切り裂いた上端部を固定することが出来る。
開口側の切り込みは切り裂いた上端部が曲がるフィルム幅を小さくしているので、曲げ易くなっている。
さらに、それに並行したもうひとつの切り込みを設けているので、切り裂いた上端部が切り込みに挿入して留まりやすくなっている。
その為、切り裂いた上端部は内容物が付着していても、手を汚しにくくすることが出来る。
【００１３】
本発明の請求項２のフィルム製容器は、開口部は、非広幅融着折り込み部の側辺端部から非広幅融着部側切り込みに掛けて、非広幅融着折り込み部の上辺下端より下側で、かつ、広幅融着部下端よりも上側の位置に、水平に設けられ、
側辺に対して垂直に伸びる易開封手段、あるいは前記易開封手段とその開始位置に設けた切り欠きとを設けたことを特徴とする請求項１に記載のフィルム製容器である。
【００１４】
本発明のフィルム製容器は、開口部が、側辺に対して垂直に易開封手段を持っているので、側辺に対して垂直に切り裂かれ、切り裂かれる先に切り込みがあって、確実に切り込み位置で切り裂きが止まることが出来る。
【００１５】
本発明の請求項３のフィルム製容器は、易開封手段がレーザーによるハーフカットによることを特徴とする請求項２に記載のフィルム製容器である。
【００１６】
本発明のフィルム製容器は、易開封手段がハーフカットからなり、ハーフカットをレーザーによって加工している。
フィルム厚みの一部が切れかかっているので、容易に切断し、開封できる。その為、易開封手段の施した線上に沿って開封できるので、余計な方向にずれて、開封が上手に出来ない問題は起きにくくなる。
延伸されて強度のある基材フィルムが、レーザー加工によって部分的に延伸性を失い、引き裂きし易くなっている加工であってもかまわない。
【００１７】
本発明の請求項４のフィルム製容器は、広幅融着部の折り込みの無い表裏フィルム部の内容物に接する内接辺が、広幅融着折り込み部側の側辺に対し、３０度以上、９０度未満に傾斜していることを特徴とする請求項１〜３のいずれかに記載のフィルム製容器である。
【００１８】
本発明のフィルム製容器は、広幅融着部の内容物に接する内接辺が、広幅融着折り込み部側の側辺に対し、３０度以上、９０度未満、好ましくは３０度〜６０度に傾斜している。さらに、開口部は側辺に対して垂直に伸びている。その為、シール形状を変えることなく、非融着折り込み部の切り欠きから水平に容器を引き裂いて開口させるので、開封位置を変更するだけで、開口部の大きさを変更することが可能になる。
シール形状を変える場合、ヒートシール形状に加工した熱板を押し当てるが、このシール圧の調整に時間が掛かるので、製造ラインでシール形状を変更しないことが望ましい。
そこで、融着折り込み部の内容物に接する内接辺が傾斜していると、開口させる切り欠きの位置を変更した抜き刃に変更するだけで、開口部の大きさを変更できる。
特に折り込み部では、開口部の幅はシール状態の２倍に拡大されるので、その効果は大きい。
【００１９】
本発明の請求項５のフィルム製容器は、広幅融着部に設けた２箇所以上の切り込みの内、非広幅融着折り込み部の上端は易開封手段によって開口し、開口部より離れた融着片が１８０度折り曲げ可能としたことを特徴とする請求項１〜４のいずれかに記載のフィルム製容器である。
【００２０】
本発明のフィルム製容器は、広幅融着部に設けた２箇所以上の切り込みの内、非広幅融着折り込み部の上端は易開封手段によって確実に開口側切り込み位置で切り裂きが止まり、開口する。そして、切り裂かれ、開口によって切り離された融着片が、開口側切り込み部を起点として、開口部上端側から見て、１８０度折り曲がることができる。
そのように融着片が開口側切り込み部を起点に１８０度折り曲がると、融着片は容易に融着折り込み部側の切り込みに先端を挿入しやすくなり、融着片に邪魔されずに、開口部が確実に開口し、内容物を注出することが出来る。
【００２１】
本発明の請求項６のフィルム製容器は、広幅融着部に設けた２箇所以上の切込みの内、最も非広幅融着折り込み部側の切り込みの下端が、易開封手段によって誘導される開口位
置よりも収納部側に位置することを特徴とする請求項１〜５のいずれかに記載のフィルム製容器である。
【００２２】
本発明のフィルム製容器は、非広幅融着折り込み部側の切り込みの下端が、易開封手段によって誘導される開口位置よりも収納部側に位置する。その為、開口部の切り裂きは、切り裂かれる先に切り込みがあって、確実に切り込み置で切り裂きが止まる。
しかも、この切り裂かれた融着片は、上側に切り込みがあって、折り曲げる幅が狭いので、簡単に曲げられる。
さらに、この切り込みの内容物収納部側にも切り込まれているので、その端部は三角形に折り曲げられるので、詰め替える場合、詰め替え容器の口先に挿入し易くなる。
【００２３】
本発明の請求項７のフィルム製容器は、広幅融着部に設けた２箇所以上の切り込みの内、最も非広幅融着折り込み部側の切り込みの上端が、非広幅融着折り込み部側に曲がって切り込まれていることを特徴とする請求項１〜６のいずれかに記載のフィルム製容器である。
【００２４】
本発明のフィルム製容器は、非広幅融着折り込み部側の切り込みの上端が、非広幅融着折り込み部側に曲がって切り込まれているので、切り裂かれた融着片は、切り込み部から破断しにくく、かつ、切り込み部で角度を自由に調整可能に折り曲げることが出来る。
その為、微妙に切り裂かれた融着片を、融着折り込み部側の切り込み部に挿入しやすい。
【００２５】
本発明の請求項８のフィルム製容器は、広幅融着部に設けた２箇所以上の切り込みの内、広幅融着折り込み部側の切り込みの上端、下端の内いずれか、または上端及び下端が、非広幅融着折り込み部に対し反対側に曲がって切り込まれていることを特徴とする請求項１〜８のいずれかに記載のフィルム製容器である。
【００２６】
本発明のフィルム製容器は、広幅融着折り込み部側の切り込みの上端、下端の内いずれか、または上端及び下端が、非広幅融着折り込み部に対し反対側に曲がって切り込まれている。
その為、切り込み部をめくったり、押し込んで、切り裂かれた融着片の先端を切り込み部に挿入させ易い。
【００２７】
本発明の請求項９のフィルム製容器は、広幅融着部に設けた２箇所以上の切り込みの内、広幅融着折り込み部側の切り込みと、そこから広幅融着折り込み部側が、部分的に折り込み合わせ面が融着していない端留め空間を有することを特徴とする請求項１〜８のいずれかに記載のフィルム製容器である。
【００２８】
本発明のフィルム製容器は、複数の切り込みの内、広幅融着折り込み部側の切り込みと、そこから広幅融着折り込み部側が、部分的に折り込み合わせ面が融着していないで、容器内部に端留め空間を有している。
その為、広幅融着折り込み部側切り込み部から端留め空間に、切り裂かれた融着片を挿入できるので、液体内容物など、手に触りたくない内容物が付着した融着片であっても、融着片先端をその端留め空間に挿入することで、触らないように掛止可能になる。
【００２９】
本発明の請求項１０のフィルム製容器は、２箇所以上設けた上下方向の切り込み端部は、切り込みが伸びないように、引き裂き終端処理を行うことを特徴とする請求項１〜９のいずれかに記載のフィルム製容器である。
【００３０】
本発明のフィルム製容器は、２箇所以上設けた上下方向の切り込み端部は、切り込みが伸びないように、端部を円形孔とする、部分的に加熱して引き裂き端部を丸めるなどの引
き裂き終端処理を行っている。
切り込み加工で切れ目を入れてあるが、切れ目の先をそのままにしておくと、そのまま、切り込みが進んで、切り裂かれた融着片が切れて本体から外れたり、内容物を収納している収納部へ切り込みが進んでしまう問題が発生し易い。引き裂き終端処理は、切り込みが進んでしまわないように、これを阻止するものである。
引き裂き終端処理をしているので、安定して、切り込みが進まず、容器に破断などが発生しない。
【００３１】
本発明の請求項１１のフィルム製容器は、開口部の水平開口位置と、広幅融着部の内容物に接する内接辺と、の交点は、非広幅折り込み部側にない位置としたことを特徴とする請求項１〜１０のいずれかに記載のフィルム製容器である。
【００３２】
本発明のフィルム製容器は、開口部の水平開口位置と広幅融着部の内容物に接する内接辺との交点が、非広幅折り込み部側にない位置に設けている。すなわち、開口した場合、折り込み部を外側に大きくに広げることが出来るので、内容物を注出しやすくなる。
【発明の効果】
【００３３】
本発明のフィルム製容器は、確実に開口部を切り裂いて開口し、開口した時に生ずる切り裂かれた融着片を、容易に固定用の切り込みに挿入して固定でき、内容物を注出しやすくすることが出来る。
【図面の簡単な説明】
【００３４】
【図１】本発明のフィルム製容器の一例で、その正面図である。
【図２】従来のフィルム製容器２種類を示す正面図である。
【図３】本発明のフィルム製容器の一例で、開口部を引き裂いて開口し、その切り離れた融着片を非融着折り込み側切り込みを起点に１８０度折り曲げ、融着片先端を融着折り込み側切り込みに挿入して固定した斜視図と、その開口部の折り込み部を外側に広げて開口した状態を示す斜視図である。
【図４】本発明の小粒な内容物用のフィルム製容器の一例を示す正面図と、その開口部を開口し、融着片先端を融着折り込み側切り込みに挿入して固定した正面図である。
【図５】本発明の大粒な内容物用のフィルム製容器の一例を示す正面図と、その開口部を開口し、融着片先端を融着折り込み側切り込みに挿入して固定した正面図である。
【図６】本発明のフィルム製容器で、他の一例を示す正面図と、その開口部を開口し、融着片先端を融着折り込み側切り込みに挿入して固定した正面図である。
【発明を実施するための形態】
【００３５】
以下、本発明について、図を用いて説明する。
図１は、本発明のフィルム製容器の一例で、その正面図である。
【００３６】
本例のフィルム製容器１は、図１に示すように、内面にシーラント層を有する積層フィルムを、左右の側辺に折り込み部を形成し、それに表裏のフィルムを有するフィルム製容器になっている。
図１の左側折り込み部は、非広幅融着折り込み部２１で、左側辺２２と左上辺２３、左下辺２４に融着部を有している。
図１の右側折り込み部は、広幅融着折り込み部３１で、右側辺３２、右上辺３３、右下辺３４に融着部を有している。
また、図１の左右折り込み部の中間には、折り込みのない表裏フィルム部４があって、上下に中央上辺４１、中央下辺４２の融着部を有している。
【００３７】
上記融着部の内、右上辺３３と中央上辺４１の融着部は広幅になっていて、広幅融着部
５を形成している。
広幅融着部５には、上下方向に並行した曲げ切り込み５１と差し込み切り込み５２の２つの切り込みが設けられている。もちろん、差し込み切り込みは２箇所以上あってもかまわない。
また、非広幅融着折り込み部２１の左側辺２２には、左上辺２３よりも下側で、かつ、広幅融着部下端よりも高い水平位置に、開口用の切り欠き６が設けられている。また、切り欠き６から水平に易開封手段のハーフカット６１が設けられている。
そして、ハーフカット６１は、広幅融着部の曲げ切り込み５１まで伸びている。
【００３８】
非広幅融着折り込み部側の曲げ切り込み５１は、下端は開口位置よりも内容物の収納部側にあって、かつ、広幅融着部５の内容物に接する内接辺５４まで届かない位置に形成し、下端の端末処理を施している。
また、開口切り込み５１の上端は開口位置よりも容器の外側（上側）で、かつ、融着部上端まで掛からない位置に形成し、上端の端末処理を施している。
広幅融着折り込み部側の差し込み切り込み５２は、上端は曲げ切り込み５１の上端より低く無い高さに形成し、上端の端末処理を施している。
差し込み切り込み５２の下端は、広幅融着部５の内容物に接する内接辺５４まで届かない位置に形成し、下端の端末処理を施している。
【００３９】
広幅融着部５の表裏フィルム部４近傍における内容物に接する内接辺５４は、広幅融着折り込み部側の右側辺３２に対し傾斜していて、その内接辺５４の傾斜角度５５は３０度以上９０度未満、好ましくは３０度〜６０度とする。
この傾斜は、シール形状を変えることなく、非融着折り込み部の切り欠き６から水平に容器を引き裂いて開口させるので、開封位置を変更するだけで、開口部の大きさを変更することが可能になる。
【００４０】
図３−１は、開口部を引き裂いて開口し、その切り離れた融着片を非広幅融着折り込み側切り込みを起点に１８０度折り曲げ、融着片先端を融着折り込み側切り込み５２に挿入して固定した斜視図である。
易開封手段のハーフカット６１を引き裂いて開口し、非広幅融着折り込み部上端融着片１２０が非広幅融着折り込み部２１から離し、曲げ切り込み５１部分で１８０度折り曲げ、非広幅融着折り込み部上端融着片１２０の先端を差し込み切り込み５２に差し込んでいる。
【００４１】
図３−２は、融着していた上端融着部が分離し、上端の束縛がなくなった非広幅融着折り込み部において、非広幅融着折り込み部の折り込みフィルム２１０を引き出し、開口を大きく広げた状態を示した。
図１で示すように、開口部の水平開口位置と、広幅融着部の内容物に接する内接辺と、の交点を、非広幅折り込み部側にない位置としたので、開口部のハーフカットの切断によって、非広幅融着折り込み部の折り込みフィルム２１０上端は、上端融着部から束縛がなくなり、引き出すことが出来る。
曲げ切り込み５１の開口下側は、切り込み側融着部分のハーフカット６１と曲げ切り込み５１とを２辺とする三角片６２が折り曲げ可能になり、詰め替えなどの場合、相手の瓶などに挿入し易くなっている。
【００４２】
図４−１は、本発明の第２の実施例で、非広幅融着折り込み部側の曲げ切り込み５１の上端が、非広幅融着折り込み部側（開口側）に曲がって切り込まれている。
また、広幅融着折り込み部側の差し込み切り込み５２の上端及び下端が、非広幅融着折り込み部３１に対し反対側に曲がって切り込まれている。
また、開口部の切り欠き６やハーフカット６１は、左上辺２３近傍にあって、開口部の幅
が狭くなっている。
【００４３】
図４−２は、第２の実施例で、易開封手段のハーフカット６１を引き裂いて開口し、非広幅融着折り込み部上端融着片１２０が非広幅融着折り込み部２１から離し、曲げ切り込み５１部分で１８０度折り曲げ、非広幅融着折り込み部上端融着片１２０の先端を差し込み切り込み５２に差し込んでいる。
三角片６２も折られ、開口部全体が、詰め替え容器に挿入し易くなっている。
【００４４】
図５−１は、本発明の第３の実施例で、第２の実施例と同じように、非広幅融着折り込み部側の曲げ切り込み５１の上端が、非広幅融着折り込み部側（開口側）に曲がって切り込まれている。
また、同じように広幅融着折り込み部側の差し込み切り込み５２の上端及び下端が、非広幅融着折り込み部に対し反対側に曲がって切り込まれている。
ただ、開口部の切り欠き６やハーフカット６１は、左上辺２３から離れた高さにあって、広幅融着部の折り込みの無い表裏フィルム部の内容物に接する内接辺５４が広幅融着折り込み部側の左側辺３２に対し傾斜しているので、開口部の幅が広くなっている。
容器形状を決めるシール形状を変える場合、ヒートシール形状に加工した熱板を押し当てるが、このシール圧の調整に非常に時間が掛かる。
しかし、融着折り込み部の内容物に接する内接辺が傾斜させているので、製造ラインでシール形状を変更しないで、簡単に調整できる開口させる切り欠きの位置を変更した抜き刃の変更によって、開口部の大きさを変更できることが分かる。
【００４５】
図５−２は、易開封手段のハーフカット６１を引き裂いて開口し、非広幅融着折り込み部上端融着片１２０を非広幅融着折り込み部２１から離し、曲げ切り込み５１部分で１８０度折り曲げ、非広幅融着折り込み部上端融着片１２０の先端を差し込み切り込み５２に差し込んでいる。
非広幅融着折り込み部上端融着片１２０の幅が広くなっているト共に、三角片６２も折られているが、開口位置が下がっている分、小さくなっている。
【００４６】
図６−１は、本発明の第４の実施例で、第２の実施例と同じように、非広幅融着折り込み部側の曲げ切り込み５１の上端が、非広幅融着折り込み部側（開口側）に曲がって切り込まれている。
また、同じように広幅融着折り込み部側の差し込み切り込み５２の上端及び下端が、非広幅融着折り込み部に対し反対側に曲がって切り込まれている。
ただ、差し込み切り込み５２の広幅融着折り込み部側が、部分的に折り込み合わせ面が融着していない端留め空間３３０を有するように形成されている。
【００４７】
図６−２は、易開封手段のハーフカット６１を引き裂いて開口し、非広幅融着折り込み部上端融着片１２０が非広幅融着折り込み部２１から離し、曲げ切り込み５１部分で１８０度折り曲げ、非広幅融着折り込み部上端融着片１２０の先端を差し込み切り込み５２に差し込み、端留め空間３３０内部に挿入されている。
広幅融着折り込み部側切り込み部から端留め空間３３０に、非広幅融着折り込み部上端融着片１２０を挿入できるので、液体内容物など、手に触りたくない内容物が付着した融着片であっても、融着片先端をその端留め空間に挿入することで、触らないように掛止可能になると共に、露出しないようにすることもできる。
【実施例】
【００４８】
以下に本発明の具体的実施例について説明する。
【００４９】
＜実施例１＞
プラスチック製容器は、外層として、厚み１２ミクロンメーターのポリエチレンテレフタレートフィルム。
中間層として、厚み１５ミクロンメーターのポリアミド樹脂層フィルム。
シーラント層として、１００ミクロンメーターの直鎖状低密度ポリエチレンフィルム。
それらを、ポリウレタン系接着剤を介してドライラミネーション機によって貼り合せ、積層フィルムを作り、図５に示す形状のプラスチック製容器を作成、粒径の異なる粒体を充填した。容器の大きさは縦２５センチメートル、横１５センチメートルで、容量２００ミリリットル。
【００５０】
＜比較例１＞
プラスチック製容器は、実施例と同じ積層フィルムを作り、図２−１に示す形状のプラスチック製容器を作成した。
【００５１】
＜評価試験内容＞
実施例と比較例について、下記の方法で試験し、比較評価した。
＜充填内容＞
粒径の異なる粒体として、大粒径品として２０ｍｍ×１５ｍｍの楕円形をした粒、小粒径品として直径５ｍｍの円形形状の粒で、それら粒径の異なる入浴剤を１５０ミリリットル充填した。
＜詰め替え性＞
一般主婦３人に３袋ずつ、計９袋を渡し、ガラス容器に入れ替える時間を測定し、２０秒間以内に出来た袋が３袋以上を○、１袋以上２袋までを△、０袋を×とした。
【００５２】
＜評価結果＞
【００５３】
【表１】
2017001738.tif 000003
【００５４】
大粒径の粒体を充填した評価結果は、比較例１では、全員が詰め替えに３袋共２０秒間以上掛かった。
実施例１では、詰め替えが３袋共２０秒間以内に出来た人が二人、一袋だけ２０秒で出来なかった人が一人だった。
これは、比較例１では、粒径が大きすぎて、互いに絡まり、充填されている粒体が出てこなかった為である。
【００５５】
小粒径の粒体を充填した評価結果は、比較例でも、実施例でも、全員が詰め替えに３袋共２０秒間以内に詰め替えることができた。
また、引き裂いて開口した非広幅融着折り込み部上端融着片１２０の先端は、差し込み切り込み５２に差し込まれ、入れ替える時に邪魔をしなかった。
【００５６】
以上のように、本発明のレンジ用パウチ収納箱のように枕部を設けると、簡単で、早く、手間を書けずに電子レンジで突沸しないレンジ用収納箱を準備できた。
【００５７】
本発明のプラスチック製容器１は以上のようなもので、
開口工程として、非融着折り込み部の上端を切り裂いて開口し、その切り裂いた上端部は、曲げ易く、かつ、もうひとつの切り込みに挿入し易く、切り裂いた上端部は内容物が付着していても、手を汚しにくい。
また、融着折り込み部の内容物に接する内接辺が傾斜しているので、開口させる切り欠きの位置を変更した抜き刃に変更するだけで、開口部の大きさを変更できる。その為、製造ラインで変更に時間が掛かるシール形状を変更しなくても、短時間でライン変更可能な抜き刃の変更だけで開口部の大きさを変えられるので、内容物の違うプラスチック製容器の変更が迅速にできる。その結果、製造ラインの効率的な稼動を容易にする容器であるなど
、本発明のメリットは大きい。
【符号の説明】
【００５８】
１・・・・・・・フィルム製容器
１１・・・・・・表面フィルム
１２・・・・・・裏面フィルム
１２０・・・・・非広幅融着折り込み部上端融着片
１３・・・・・・折り込み（左・開口側）
１４・・・・・・折り込み（右・非開口側）
１５・・・・・・非ヒートシール領域
２１・・・・・・非広幅融着折り込み部
２１０・・・・・折り込みフィルム
２２・・・・・・左側辺
２３・・・・・・左上辺
２４・・・・・・左下辺
３１・・・・・・広幅融着折り込み部
３２・・・・・・右側辺
３３・・・・・・右上辺
３３０・・・・・端留め空間
３４・・・・・・右下辺
４・・・・・・・折り込みのない表裏フィルム部
４１・・・・・・中央上辺
４２・・・・・・中央下辺
５・・・・・・・広幅融着部
５１・・・・・・曲げ切り込み
５２・・・・・・差し込み切り込み
５４・・・・・・内接辺
５５・・・・・・傾斜角度
５６・・・・・・切り込み（切り取り用切り込み）
６・・・・・・・切り欠き
６１・・・・・・ハーフカット（易引き裂き手段）
６２・・・・・・三角片
【図１】
2017001738.tif 000004
【図２】
2017001738.tif 000005
【図３】
2017001738.tif 000006
【図４】
2017001738.tif 000007
【図５】
2017001738.tif 000008
【図６】
2017001738.tif 000009